(57)【特許請求の範囲】
【請求項１】
下部筐体と、
この下部筐体に対し上向きに回動しうるように一側部が枢着された上部筐体と、
前記下部筐体の上面により保持された下型と、
この下型の背面と前記下部筐体の上面との間に設けられた下部電気ヒータと、
前記上部筐体の下面により保持され、前記下型と対をなしてこれに重合する上型と、
この上型の背面と前記上部筐体の下面との間に設けられた上部電気ヒータとを備え、前記下型の上面に前記上型を重合し、前記下型を前記下部電気ヒータにより、前記上型を前記上部電気ヒータによりそれぞれ加熱することにより、下型と上型との対向面に形成された凹部内においてパン等の生地材を焼成する電熱調理器において、
前記下部筐体の上面に、上面が開放された上向き枠状片を、上端が前記下型の背面と当接または近接するようにして突設するとともに、前記上部筐体の下面に、下面が開放された下向き枠状片を、下端が前記上型の背面と当接または近接するようにして突設し、前記下部筐体の上面と上向き枠状片と下型の背面とにより囲まれた内部空間に前記下部電気ヒータを収容するとともに、前記上部筐体の下面と下向き枠状片と上型の背面とにより囲まれた内部空間に前記上部電気ヒータを収容し、さらに、前記下型の背面には、前記上向き枠状片に上方より外嵌される枠状の垂下片を、上型の背面には、前記下向き枠状片に下方より外嵌される枠状の起立片を、それぞれ突設し、前記垂下片と上向き枠状片、及び前記起立片と下向き枠状片に、前記下型と上型とをそれぞれ前記上向き枠状片と下向き枠状片に着脱可能に係止して取付ける係止手段を設け、この係止手段は、前記垂下片、及び起立片にそれぞれ設けた第１の係止孔と、前記上向き枠状片、及び下向き枠状片に設けられ、前記第１の係止孔にそれぞれ挿脱可能に嵌合する突部と、この突部と前記第１の係止孔の反対側において前記垂下片、及び起立片にそれぞれ設けた第２の係止孔と、前記上向き枠状片、及び下向き枠状片にそれぞれ出没可能に設けられ、ばねにより両枠状片の外方に付勢させられることにより、先端部が前記第２の係止孔に挿脱可能に係合するラッチと、前記下部筐体内及び上部筐体内に収容され、一部がそれらの上面及び下面をそれぞれ挿通して前記ラッチに連結された操作ロッドとを備え、この操作ロッドの先端を、それと対向するように前記下部筐体及び上部筐体の側壁面に設けた通孔を介して工具により押動することにより、前記ラッチを前記第２の係止孔から離脱する方向に移動させうるようにしたことを特徴とする電熱調理器。
【請求項２】
下型の背面を下部電気ヒータに、上型の背面を上部電気ヒータに、それぞれ弾性的に圧接させてなる請求項１に記載の電熱調理器。
【発明の詳細な説明】
【技術分野】
【０００１】
本発明は、互いに対をなす上型と下型との対向面間に形成される凹部に生地材を挿入し、上下の型を電気ヒータにより加熱することにより、パンやスナックケーキ等を焼成する電熱調理器に関する。
【背景技術】
【０００２】
このような電熱調理器は、例えば特許文献１〜３に記載されており、公知である。
【先行技術文献】
【特許文献】
【０００３】
【特許文献１】特開２００３−４７５６１号公報
【特許文献２】特開２００４−９７１０２号公報
【特許文献３】特表２０１１−５１２９７４号公報
【発明の概要】
【発明が解決しようとする課題】
【０００４】
上記特許文献１〜３に記載されている電熱調理器は、いずれも、上型と下型とのそれぞれの背面側に設けた電気ヒータにより、上下の型を加熱するものであるが、型の背面側に電気ヒータを設けたものにおいては、次のような問題が発生することがある。
すなわち、特に下型において、その上面に形成された凹部に塗布する油を、誤って下型の周囲にこぼしてしまったり、生地材の焼成時に上下の型の間から油が流れ出たり、下型が熱により反ったりすると、その油が、下型とそれを支持する筐体との間の僅かな隙間から内部に浸入して、下型の背面側に回り込み、電気ヒータ装着部付近まで達することがある。このようになると、ヒータにより油が加熱されて変色し、下型の背面にこびりついたり、異臭を発したりする恐れがある。
このような現象は、上下の型を、形状の異なる他の型と交換しうるように、筐体に着脱可能として装着した際には、型と筐体との間に隙間が形成され易くなるので、特に発生しやすい。
【０００５】
上記のような問題に対処するためには、上下の型とそれを支持する筐体との間に、パッキン等のシール材を設けることも考えられるが、型は高温となるため、通常のゴム系のシール材は使用することはできず、また耐熱性のシール材を使用したとしても、熱による劣化が早いので、その交換頻度が高くなる。
【０００６】
また、上記特許文献１及び２に記載の電熱調理器においては、電気ヒータを上下の型の背面の凹溝内に嵌合したのみであり、ヒータの周囲が比較的大きく開放されているので、ヒータから放射される放射熱が周囲に拡散して逃げ、その放射熱を利用して型を効率よく加熱することができないという問題もある。
【０００７】
さらに、特許文献１〜３に記載の電熱調理器は、いずれも、上下の型の背面にヒータを装着してあるので、型のみを、他の形状の異なるものとに簡単に交換することができないという問題もある。また、上下の型は、通常、ねじにより筐体に取り付けられるため、型の交換作業が面倒である。
【０００８】
本発明は、上記問題点に鑑みてなされたもので、油が型の背面側のヒータ装着部に浸入するのを防止するとともに、ヒータの放射熱が周囲に拡散するのを防止して、型を効率よく加熱しうるようにし、さらに、上下の型のみを簡単に交換しうるようにした電熱調理器を提供することを目的としている。
【課題を解決するための手段】
【０００９】
本発明によると、上記課題は、次の各項のようにして解決される。
（１）下部筐体と、この下部筐体に対し上向きに回動しうるように一側部が枢着された上部筐体と、前記下部筐体の上面により保持された下型と、この下型の背面と前記下部筐体の上面との間に設けられた下部電気ヒータと、前記上部筐体の下面により保持され、前記下型と対をなしてこれに重合する上型と、この上型の背面と前記上部筐体の下面との間に設けられた上部電気ヒータとを備え、前記下型の上面に前記上型を重合し、前記下型を前記下部電気ヒータにより、前記上型を前記上部電気ヒータによりそれぞれ加熱することにより、下型と上型との対向面に形成された凹部内においてパン等の生地材を焼成する電熱調理器において、
前記下部筐体の上面に、上面が開放された上向き枠状片を、上端が前記下型の背面と当接または近接するようにして突設するとともに、前記上部筐体の下面に、下面が開放された下向き枠状片を、下端が前記上型の背面と当接または近接するようにして突設し、前記下部筐体の上面と上向き枠状片と下型の背面とにより囲まれた内部空間に前記下部電気ヒータを収容するとともに、前記上部筐体の下面と下向き枠状片と上型の背面とにより囲まれた内部空間に前記上部電気ヒータを収容し、さらに、前記下型の背面には、前記上向き枠状片に上方より外嵌される枠状の垂下片を、上型の背面には、前記下向き枠状片に下方より外嵌される枠状の起立片を、それぞれ突設し、前記垂下片と上向き枠状片、及び前記起立片と下向き枠状片に、前記下型と上型とをそれぞれ前記上向き枠状片と下向き枠状片に着脱可能に係止して取付ける係止手段を設け、この係止手段は、前記垂下片、及び起立片にそれぞれ設けた第１の係止孔と、前記上向き枠状片、及び下向き枠状片に設けられ、前記第１の係止孔にそれぞれ挿脱可能に嵌合する突部と、この突部と前記第１の係止孔の反対側において前記垂下片、及び起立片にそれぞれ設けた第２の係止孔と、前記上向き枠状片、及び下向き枠状片にそれぞれ出没可能に設けられ、ばねにより両枠状片の外方に付勢させられることにより、先端部が前記第２の係止孔に挿脱可能に係合するラッチと、前記下部筐体内及び上部筐体内に収容され、一部がそれらの上面及び下面をそれぞれ挿通して前記ラッチに連結された操作ロッドとを備え、この操作ロッドの先端を、それと対向するように前記下部筐体及び上部筐体の側壁面に設けた通孔を介して工具により押動することにより、前記ラッチを前記第２の係止孔から離脱する方向に移動させうるようにする。
【００１０】
このような構成とすると、下型や上型の周囲に誤って油をこぼしたとしても、上下の電気ヒータの収容空間内に浸入する恐れはなく、従って、浸入した油がヒータにより加熱されてこびり付いたり、異臭を発したりするのを防止することができる。
また、上下の電気ヒータの周囲は、それぞれ上向き枠状片と下向き枠状片により囲まれ、ヒータの放射熱が周囲に拡散して逃げるのが防止されるので、その放射熱によっても下型と上型が効果的に加熱され、省電力化が図れる。
さらに、上向き枠状片と下向き枠状片には、それぞれ下型の垂下片と上型の起立片が外嵌され、内外二重構造となっているので、電気ヒータが収容されている空間内の熱が外部に逃げにくくなり、収容空間の保温効果が大となる。
また、電気ヒータの収容部内に、油がより浸入しにくくなる。
係止手段により、下型と上型を簡単に装着したり、取り外したりすることができるので、凹部の形状の異なる他の下型と上型に容易に交換することができるとともに、下型と上型には、第１の係止孔と第２の係止孔を設けるのみでよいので、下型と上型の製作が容易となる。
【００１１】
（２）上記(１)項において、下型の背面を下部電気ヒータに、上型の背面を上部電気ヒータに、それぞれ弾性的に圧接させる。
【００１２】
このような構成とすると、下型の背面が熱により上向きに反っても、その背面から下部電気ヒータが離間することがないので、下型を効果的に加熱することができる。
【発明の効果】
【００１３】
本発明によれば、下型や上型の周囲に誤って油をこぼしたとしても、上下の電気ヒータの収容空間内に浸入する恐れはなく、従って、浸入した油がヒータにより加熱されてこびり付いたり、異臭を発したりするのを防止することができる。
また、上下の電気ヒータの周囲は、それぞれ上向き枠状片と下向き枠状片により囲まれ、ヒータの放射熱が周囲に拡散して逃げるのが防止されるので、その放射熱によっても下型と上型が効果的に加熱され、省電力化が図れる。
さらに、係止手段により、下型と上型を簡単に装着したり、取り外したりすることができるので、凹部の形状の異なる他の下型と上型に容易に交換することができるとともに、下型と上型には、第１の係止孔と第２の係止孔を設けるのみでよいので、下型と上型の製作が容易となる。
【図面の簡単な説明】
【００１４】
【図１】本発明の一実施形態の電熱調理器を、上部筐体を上向きに回動させたときの前方斜視図である。
【図２】同じく、上下の型を取り外した状態の前方斜視図である。
【図３】同じく、上部筐体を下向きの使用状態まで回動させたときの側面図である。
【図４】同じく、下型を取り外した状態の下部筐体の平面図である。
【図５】図４のV−V線拡大縦断側面図である。
【図６】図４のVI−VI線拡大縦断側面図である。
【図７】下部筐体に下型を取付けた状態の平面図である。
【図８】図７のVIII−VIII線拡大縦断側面図である。
【図９】凹部の形状の異なる他の下型と上型に交換したときの前方斜視図である。
【発明を実施するための形態】
【００１５】
以下、本発明の実施形態を、図面に基づいて説明する。
図１〜図３に示すように、本発明の電熱調理器は、前後方向(以下、図３の左方を前として説明する)に長い平面視長方形をなす箱形の下部筐体１と、この下部筐体１の上面後部に固着された正面視上向きコ字状の支持部材２と、後端部が支持部材２の左右１対の起立片２ａ、２ａに、左右方向の枢軸３により枢着された平面視後向きコ字状の操作ハンドル４と、この操作ハンドル４における左右の側片４ａ、４ａの対向面に固定されたほぼ方形箱状の上部筐体５と、下部筐体１の上面に取付けられた下型６と、上部筐体５の下面に取付けられた上型７とを備えている。なお、以下の説明において、上部筐体５及びそれに取付けられた部材に対する前後、左右及び上下方向は、図３に示す使用状態、すなわち上部筐体５を下向きに回動させて下部筐体１に重合させた状態でいうものとする。
【００１６】
上部筐体５は、操作ハンドル４と実質的に一体をなし、ほぼ水平をなす使用位置から、９０度を若干超える使用待期位置(例えば１００度前後)まで、枢軸３を中心として上向きに回動させうるようになっている。
下部筐体１の後面には、電源スイッチ、温度調節つまみ、タイマつまみ(いずれも図示略)等を有する制御ボックス８が取り付けられている。
【００１７】
下型６は、熱伝導性に優れるアルミニウム合金等により、平面形が概ね正方形をなすように形成され、前縁の左右方向の中央部には、前方を向く集油部９が一体的に突設されている。下型６の集油部９の前縁を除いた外周縁は、上向片１０により縁取りされており、かつ下型６の外周部を除いた上面には、正面視半円形断面の前後方向に長い左右複数の焼成用凹部１１が形成されている。
【００１８】
下型６における各凹部１１の外側の外周部、すなわち上向片１０と複数の凹部１１が形成された部分との間の外周部には、集油部９の上面と連続する凹状断面の排油溝１２が形成され、この排油溝１２の底面と集油部９の上面は、前下方になだらかに傾斜させてある。このようにすると、凹部１１内において生地材を焼成する際に滲み出した油が、排油溝１２を介して、集油部９に向かって流動するようになり、集油部９の前縁より滴下した油を、油受け容器(図示略)等により回収することができる。
【００１９】
上型７は、下型６と同様に、アルミニウム合金等により、平面形が概ね正方形をなすように形成され、下型６の上面と対向する上型７の下面には、下型６の各凹部１１と対をなして対向する正面視下向き半円形断面の複数の凹部１１が形成されている。
【００２０】
図２及び図４〜図６に示すように(下型と上型は取り外してある)、下部筐体１の上面には、平面視方形をなす底板１３と、その周縁より起立する、上面が開放された方形の上向き枠状片１４とからなる下型保持部材１５が、底板１３の四隅部を下部筐体１の上面にねじ１６をもって固定することにより取付けられている。
【００２１】
上向き枠状片１４により囲まれた内部には、平面視においてＵ字状に蛇行するとともに、端末部が下部筐体１の内部において図示しない支持部材により支持された下部電気ヒータ１７が、下型保持部材１５の底板１３の上面より離間させて収容されている。下部電気ヒータ１７は、シーズヒータよりなり、その端末部は制御ボックス８内の給電装置に電気的に接続されている。なお、下部電気ヒータ１７の上面は、上向き枠状片１４の上端より若干上方に突出し、下型６の装着時に下方に押圧されることにより、下型６の背面(下面)に弾性的に圧接するようにしてある。このようにすると、万一、下型６の背面が熱により上向きに反っても、その背面から下部電気ヒータ１７が離間することがないので、下型６が効果的に加熱される。
【００２２】
下部電気ヒータ１７の下方において、下型保持部材１５の底板１３の上面には、左右方向を向く側面視上向きコ字状断面の複数のヒータ受け１８が、スポット溶接により固着されている。下型６の装着時において下部電気ヒータ１７の下面が各ヒータ受け１８の上端に当接することにより、下部電気ヒータ１７はほぼ水平に保持されるようになっている。
【００２３】
底板１３の中央部には、下型６の温度を検出する温度センサ１９が、ばね２０により常時上向きに付勢されて取付けられ、この温度センサ１９の上端は、下型６を装着した際に、その中央部の背面に弾性的に圧接するようになっている(図８参照)。
【００２４】
下型保持部材１５における底板１３の前部の左右方向の中央部上面には、ラッチ装置２１が設けられている。このラッチ装置２１は、底板１３の上面にねじ２２、２２により固定された側面視概ね上向きコ字状のラッチ保持部材２３と、このラッチ保持部材２３に前後方向に移動可能に保持されたラッチ２４と、ラッチ保持部材２３の後面にねじ２５、２５により固定された平面視前向きコ字状をなすばね受け部材２６と、このばね受け部材２６の後片２６ａの前面に、後面側からねじ２５により固定されたロッド状のばねガイド２７と、後部をばねガイド２７に嵌合させて、ラッチ２４の後面とばね受け部材２６との間に介設された、ラッチ２４を常時前向きに付勢する圧縮コイルばね２８とを備え、ラッチ２４の先端部は、上向き枠状片１４の切欠部２９より、枠状片１４の外方と内方に出没可能とされ、常時は先端部が圧縮コイルばね２８の付勢力により若干前方に突出している。
【００２５】
図５に示すように、ラッチ２４の後端にねじ２５により固定され、かつ底板１３の前部に設けた開口３０を介して垂下する垂下片３１の前面には、ラッチ２４を外部より後方に押動するための前方を向く操作ロッド３２が、ねじ２５により固定されている。下部筐体１における操作ロッド３２の前端と対向する前面には、円形の通孔３３が形成され(図２参照)、この通孔３３よりドライバまたはロッド状の専用の工具を差し込み、操作ロッド３２を後方に押動することにより、垂下片３１を介してラッチ２４を後方に移動させうるようになっている。この操作は、後述するように、下型６を下型保持部材１５より取り外す際に行われる。
【００２６】
ラッチ装置２１と対向する底板１３の後部の左右方向の中央部上面には、係止金具３４が固定され、この係止金具３４の後縁には、上向き枠状片１４に設けた開口３５を貫通して上向き枠状片１４の後方に突出する倒立Ｌ字状をなす突片３４ａが、後向きに突設されている(図４、図５参照)。
【００２７】
図１、図３及び図８に示すように、下型６の背面の周縁には、下型保持部材１５における上向き枠状片１４に上方より着脱可能に外嵌される枠状の垂下片３６が突設されている。この垂下片３６における互いに対向する後片３６ａと前片３６ｂの左右方向の中央部には、それぞれ第１の係止孔３７と第２の係止孔３８とが穿設され、第１の係止孔３７は、上向き枠状片１４の後部の突片３４ａに、第２の係止孔３８は、上向き枠状片１４の前部のラッチ２４の先端部に、それぞれ挿脱可能に嵌合しうるようになっている。
【００２８】
すなわち、第１の係止孔３７を突片３４ａに嵌合したのち、下型６の垂下片３６を上向き枠状片１４に外嵌させると、垂下片３６の前片３６ｂの下縁が、ラッチ２４の先端部上面の傾斜面に当接することにより、ラッチ２４は後方に若干移動させられ、先端部が第２の係止孔３８と対向した際に、圧縮コイルばね２８の付勢力によりラッチ２４が再度前方に移動させられることにより、その先端部が第２の係止孔３８に自動的に突入する。従って、下型６を下型保持部材１５に簡単に装着することができる。また、上述したように、下部筐体１の前面に設けた通孔３３にドライバ等を差し込み、操作ロッド３２を介してラッチ２４を後方に押動させることにより、下型６のみを簡単に取り外すことができる。なお、第２の係止孔３８の前方からドライバ等を差し込んで、ラッチ２４の先端を直接後方に押動することによっても、下型６を取り外すことができるので、操作ロッド３２や通孔３３は省略することもある。
【００２９】
上向き枠状片１４に下型６を装着すると、上向き枠状片１４の上端に下型６の背面(下面)が当接または近接することにより、上向き枠状片１４の上方の開口面は閉塞される。従って、下部筐体１の上面には、下型保持部材１５における底板１３と上向き枠状片１４、及び下型６の背面とにより囲まれた空間Ｓが形成され、この空間Ｓ内に下部電気ヒータ１７が収容されている(図８参照)。
【００３０】
上部筐体５の下面には、下型保持部材１５と同形で、上下対称をなす上型保持部材３９が、ねじ１６により固定されている。この上型保持部材３９は、上面板４０と、その周縁より垂下する、下面が開口された方形の下向き枠状片４１とからなっている。
【００３１】
下向き枠状片４１により囲まれた内部には、下部電気ヒータ１７と同形かつ上下対称をなす上部電気ヒータ１７が収容されている。
また、上面板４０には、下型保持部材１５に設けたと同様のヒータ受け１８、ラッチ装置２１及び係止金具３４が、下型保持部材１５側の各部材と上下対称をなすようにして取付けられている。これらのラッチ装置２１等は、下部筐体１のものと同じ構造であるので、その詳細な説明は省略する。
【００３２】
上型７の背面(上面)の周縁部には、下向き枠状片４１に外嵌される枠状の起立片４２が突設され、この起立片４２には、上記の下型６と同様の第１の係止孔３７と第２の係止孔３８とが形成されている(第１の係止孔については図示略)。
【００３３】
上型７を上型保持部材３９に装着するには、上記下型６と同じ要領で行うことができる。すなわち、上型７の第１の係止孔３７を突片３４ａに嵌合したのち、上型７の起立片４２を下向き枠状片４１に外嵌し、第２の係止孔３８をラッチ２４の先端部に係合させればよい。これにより、上型７も、下型６と同様に、上型保持部材３９に簡単に装着することができ、かつ上部筐体５の前面に設けた通孔３３(図２参照)にドライバ等を差し込んで、ラッチ２４を後方に押動することにより、上型７のみを簡単に取り外すことができる。
【００３４】
下向き枠状片４１に上型７を装着すると、下向き枠状片４１の下方の開口面は、上型７の背面(上面)により閉塞され、上部筐体５の下面には、上部電気ヒータ１７が収容される空間が形成される。
【００３５】
上記実施形態の電熱調理器を用いてパンやスナックケーキ等を焼成するには、図１のように上部筐体５を上向きに回動させた状態で、下型６の各凹部１１に必要に応じて油を塗布したのち、各凹部１１に、予め練り上げておいた生地材を挿入する。
【００３６】
ついで、図３に示すように、上部筐体５を下向きに回動させ、上型７の下面を下型６の上面に当接させて上下の凹部１１を閉塞したのち、上下の電気ヒータ１７に一定時間通電し、下型６と上型７を加熱する。すると、下型６と上型７の凹部１１内において生地材が加熱されて膨張することにより、棒状のパンまたはスナックケーキ等が焼成される。
【００３７】
焼成時に生地材より滲み出た油は、下型６の排油溝１２を介して集油部９まで導かれ、油受け等により回収される。
【００３８】
以上説明したように、上記実施形態の電熱調理器においては、下部筐体１の上面と上部筐体５の下面に、それぞれ上向き枠状片１５と下向き枠状片４１を突設するとともに、それらの枠状片１５、４１に、下型６の垂下片３６と上型７の起立片４２をそれぞれ外嵌し、上向き枠状片１５と下型６の背面により囲まれた空間、及び下向き枠状片４１と上型７の背面より囲まれた空間に、それぞれ下部電気ヒータ１７と上部電気ヒータ１７を収容してあるので、たとえ、下型６や上型７の周囲に誤って油をこぼしたとしても、ヒータ１７の収容空間内に浸入する恐れはなく、従って、浸入した油がヒータ１７により加熱されて、こびり付いたり、異臭を発したりするのを防止することができる。
【００３９】
また、上下の電気ヒータ１７の周囲は、それぞれ上向き枠状片１５と下向き枠状片４１により囲まれ、ヒータ１７の放射熱が周囲に拡散して逃げるのが防止されるので、その放射熱によっても下型６と上型７が効果的に加熱され、省電力化が図れる。しかも、上向き枠状片１５と下向き枠状片４１には、それぞれ下型６の垂下片３６と上型７の起立片４２が外嵌され、内外二重構造となっているので、ヒータ１７が収容された空間内の熱が外部に逃げにくくなり、収容空間の保温効果が大となるとなるともに、電気ヒータ１７の収容部内に油がより浸入しにくくなる。
【００４０】
さらに、下型６と上型７の取付けに、ねじを使用していないので、それらを簡単に装着したり、取り外したりすることができる。従って、上下の型を、図９に示すように、例えばドーナツ形のスナックケーキ等を焼成する、凹部１１の形状の異なる下型６と上型７に容易に交換することができる。
【００４１】
本発明は、上記実施形態に限定されるものではない。
上下の電気ヒータ１７の形状は、下型６と上型７の大きさや形状に対応して、適宜の形状とすることができる。
また、上向き枠状片１５と下向き枠状片４２の形状は、上記方形の外、例えば円形や楕円形、または四角形以上の多角形とすることもある。この際には、その変更した形状に対応して、下型６の垂下片３６及び上型７の起立片４２の形状も変更すればよい。
さらに、上記実施形態では、下型保持部材１５の底板１３と、上型保持部材の上面板４０とを、下部筐体１の上面と上部筐体５の下面とに、それぞれ、ねじ１６により固定しているが、スポット溶接等により固着してもよい。
【符号の説明】
【００４２】
１  下部筐体
２  支持部材
２ａ起立片
３  枢軸
４  操作ハンドル
４ａ側片
５  上部筐体
６  下型
７  上型
８  制御ボックス
９  集油部
１０  上向片
１１  凹部
１２  排油溝
１３  底板
１４  上向き枠状片
１５  下型保持部材
１６  ねじ
１７  下部電気ヒータ
１８  ヒータ受け
１９  温度センサ
２０  ばね
２１  ラッチ装置
２２  ねじ
２３  ラッチ保持部材
２４  ラッチ
２５  ねじ
２６  ばね受け部材
２６ａ後片
２７  ばねガイド
２８  圧縮コイルばね
２９  切欠部
３０  開口
３１  垂下片
３２  操作ロッド
３３  通孔
３４  係止金具
３４ａ突片(突部)
３５  開口
３６  垂下片
３６ａ後片
３６ｂ前片
３７  第１の係止孔
３８  第２の係止孔
３９  上型保持部材
４０  上面板
４１  下向き枠状片
４２  起立片
Ｓ  空間
【図１】
0005453476.tif 000002
【図２】
0005453476.tif 000003
【図３】
0005453476.tif 000004
【図４】
0005453476.tif 000005
【図５】
0005453476.tif 000006
【図６】
0005453476.tif 000007
【図７】
0005453476.tif 000008
【図８】
0005453476.tif 000009
【図９】
0005453476.tif 000010